(57)【特許請求の範囲】
【請求項１】
角部を有するとともに、内側に空間を形成した筐体と、
前記角部の近傍で前記空間に収められたスピーカボックスと、
前記スピーカボックス内で前記筐体の厚み方向と交差する方向に収められたスピーカと、
を備え、
前記筐体は、
ユーザによって目視される第１ケースと、
前記第１ケースとは反対側にある第２ケースと、
前記スピーカボックスの近傍で前記第２ケースに設けられた第１開口部と、
前記空間と連続した第２開口部と、
を含み、
前記スピーカボックスは、
前記スピーカの第１面からの音を前記第１開口部に案内する第１ダクトと、
前記スピーカの第２面からの音を前記空間に向けて案内する第２ダクトと、
を備えた電子機器。
【請求項２】
前記筐体は、前記スピーカボックスに面した部分を有し、該部分は前記第１ダクトの１つの壁をなしており、
前記スピーカボックスは、前記第１ダクトの他の壁をなす溝部を有する請求項１に記載の電子機器。
【請求項３】
前記溝部は、その周縁を規定するとともに前記部分に当接した弾性部材を有する請求項２に記載の電子機器。
【請求項４】
前記筐体内に設けられ前記空間の周囲を規定する部材を有する請求項３に記載の電子機器。
【請求項５】
前記第１開口部は、前記筐体の前記厚み方向と交差する方向に延びる請求項４に記載の電子機器。
【請求項６】
前記筐体は、前記空間に向けて突出したリブを前記部分から外れた位置に有した請求項５に記載の電子機器。
【請求項７】
角部を有するとともに、内側に空間を形成した筐体と、
前記角部の近傍で前記筐体内に収められたスピーカボックスと、
前記スピーカボックス内で前記筐体の厚み方向と交差する方向に収められたスピーカと、
を備え、
前記空間は、前記筐体に設けられたパームレスト部の内側に設けられ、
前記筐体は、
前記スピーカボックスの近傍に設けられた第１開口部と、
前記第１開口部同士の間に位置した第２開口部と、
前記スピーカボックスに面した部分と、
を含み、
前記スピーカボックスは、
前記スピーカからの音を前記第１開口部に案内する第１ダクトと、
前記スピーカからの音を前記第２開口部に向けて案内する第２ダクトと、
を有し、
前記部分は前記第１ダクトの１つの壁をなした電子機器。
【請求項８】
前記筐体は、ユーザによって目視される第１ケースと、前記第１ケースとは反対側にある第２ケースと、を含み、
前記第１開口部は、前記第２ケースのユーザ側に設けられた請求項７に記載の電子機器。
【請求項９】
前記スピーカボックスは、前記部分に当接するとともに前記第１ダクトの壁の一部を構成する弾性部材を有する請求項７に記載の電子機器。
【発明の詳細な説明】
【技術分野】
【０００１】
本発明の実施形態は、スピーカを有したテレビ、電子機器に関する。
【背景技術】
【０００２】
例えば、ノートブック型のポータブルコンピュータなどの電子機器において、左右にスピーカユニットを備えたものが存在している。
【先行技術文献】
【特許文献】
【０００３】
【特許文献１】特開２００４−３５７２２０号公報
【発明の概要】
【発明が解決しようとする課題】
【０００４】
このような電子機器では、音質が市場における競争力を決定する一要素となりえるため、音質の改良に関するニーズが常に存在し、出力音質の向上が求められる。
【課題を解決するための手段】
【０００５】
実施形態の電子機器は、一対の角部と、内側の密閉空間と、を有した筐体と、前記各角部の近傍で前記密閉空間に収められた一対のスピーカボックスと、前記一対のスピーカボックス内で前記筐体の厚み方向と交差する方向に収められた一対のスピーカと、を備え、前記筐体は、前記各スピーカボックスの近傍に設けられた一対の第１開口部と、前記一対の第１開口部同士の間に位置するとともに前記密閉空間と連続した第２開口部と、を含み、前記各スピーカボックスは、前記各スピーカの第１面からの音を前記各第１開口部に案内する第１ダクトと、前記各スピーカの第２面からの音を前記密閉空間に向けて案内する第２ダクトと、を備えた。
【図面の簡単な説明】
【０００６】
【図１】第１の実施形態にかかる電子機器の一例であるテレビを示した正面図。
【図２】図１に示すテレビのＦ２−Ｆ２線に沿った断面図。
【図３】第２の実施形態にかかる電子機器の一例であるポータブルコンピュータを示した斜視図。
【図４】図３に示すポータブルコンピュータにおいて、ディスプレイキャビネットの一部および筐体の第１ケースを外して内部を示した斜視図。
【図５】図３に示すポータブルコンピュータの本体部を示した上面図。
【図６】図５に示すポータブルコンピュータの本体部を示した正面図。
【図７】図５に示すポータブルコンピュータのＦ７−Ｆ７線に沿った断面図。
【図８】図３に示すポータブルコンピュータの本体部において、筐体の第１ケースを透視して内部を示した上面図。
【図９】図８に示す本体部において、スピーカボックスの第２ダクトの高さで本体部を横方向に切断して示した断面図。
【図１０】図３に示すポータブルコンピュータの本体部において、筐体の第２ケースを取り外した状態で第１ケースおよびスピーカボックスを示した斜視図。
【図１１】図３に示すポータブルコンピュータの本体部において、筐体の第１ケースを内側（裏側）から示した斜視図。
【図１２】図５に示すポータブルコンピュータの本体部の縦方向に沿った断面図。
【図１３】図３に示すポータブルコンピュータの本体部において、筐体の第２ケースを内側（裏側）から示した斜視図。
【図１４】第３の実施形態にかかる電子機器の一例であるタブレット型ポータブルコンピュータを示した正面図。
【図１５】図１４に示すタブレット型ポータブルコンピュータを後方向から示した斜視図。
【発明を実施するための形態】
【０００７】
以下、図１、図２を参照して、電子機器の一例であるテレビの実施形態について説明する。また、第１の実施形態では、手前側（即ちユーザ側）を前方向Ｆ、ユーザから見て奥側を後方向Ｂ、ユーザから見て左側を左方向Ｌ、ユーザから見て右側を右方向Ｒ、ユーザから見て上方を上方向Ｕ、ユーザから見て下方を下方向Ｄと定義する。
【０００８】
図１に示すように、本実施形態にかかるテレビ１１は、長方形の外観を有した薄型の表示装置である。図１に示すように、テレビ１１は、例えば、本体部１２と、本体部１２を支持するスタンド部１３（支持部、台、支部、脚部）と、を備えている。
【０００９】
本体部１２は、例えば合成樹脂等で形成される筐体１４を有している。また、本体部１２は、表示パネル１５（表示装置、表示モジュール、表示ユニット）と、一対のスピーカボックス（スピーカ部、放音部、ボックス、支持部、ハウジング）１６と、各スピーカボックス１６に１個ずつ収納される計２個のスピーカ１７（一対のスピーカ）と、表示パネル１５に接続されてテレビ全体を統括制御するシステム基板と、チューナ基板と、電源回路基板と、を筐体１４の内部に備えている。表示パネル１５は、例えば方形板状の液晶パネルで構成されているが、例えばプラズマディスプレイパネル、有機ＥＬパネル等の他の種類のディスプレイパネルで構成されていてもよい。
【００１０】
筐体１４は、複数の角部（隅部、コーナ部、端部、縁部、周縁部）１８と、筐体１４の内側に設けられて密閉（略密閉）された密閉空間（閉塞された領域・壁に囲まれた空間、通気性を低く保った空間、筐体外部から閉ざされた領域、全面を筐体内壁および部品等で囲まれた領域）２１と、を有している。一対のスピーカボックス１６は、筐体１４の密閉空間２１内に収められている。図２に示すように、各スピーカ１７は、スピーカボックス１６内で筐体１４の厚み方向Ｔと交差する方向に収められている。複数の角部１８には、一対のスピーカボックス１６が設けられる下方向Ｄ寄りの一対の角部１８Ａが含まれている。
【００１１】
筐体１４は、表示パネル１５の前面を覆った枠状の第１ケース２２（マスク、第１筐体、第１部材）と、表示パネル１５の後面を覆った第２ケース２３（カバー、第２筐体、第２部材）と、を含んでいる。また、第１ケース２２は、主としてユーザから目視される箇所であり、第２ケース２３は第１ケース２２とは反対側に位置してユーザからは見えにくい箇所である。筐体１４は、その内部で前方向Ｆ寄りの位置に密閉空間２１を有している。この密閉空間２１の周囲は、例えば、筐体１４の第１ケース２２、第２ケース２３、および第２ケース２３から突出した突出部（突部、周囲部、周壁、壁、側部、面、領域）２４、によって規定されている。突出部２４は、密閉空間２１の周囲を規定する部材の一例であり、第２ケース２３から突出するもの限られず第１ケース２２から突出していてもよいし、着脱可能であってもよい。
【００１２】
図１、図２に示すように、第１ケース２２は、スピーカボックス１６に面した部分５５（スピーカボックス１６と対向した部分）と、例えば複数の微小な貫通孔を集約的に１つの領域に設けることで形成した第２開口部（放音部、出力部、放音領域、出力領域）２５と、を有している。第２開口部２５は、後述する一対の第１開口部２７同士の間に位置しており、密閉空間２１と連続（連通）している（面している）。第１ケース２２の内面には、これを補強するための補強用の複数のリブ（突出部、補強部、格子部、支持部、サポート）２６がハニカム状や格子状等に配列して設けられている。複数のリブ２６の構成は第２の実施形態と同様であるために詳細の説明は第２の実施形態で説明する。
【００１３】
第２ケース２３は、各スピーカボックス１６の近傍（つまり、各角部１８の近傍）に設けられた一対の第１開口部２７を有している。第１開口部２７は、筐体１４の厚み方向Ｔと交差する方向に延びている。
【００１４】
各スピーカボックス１６は、スピーカ１７を支持する支持部３０と、スピーカ１７の第１面１７Ａからの音を第１開口部２７に案内する第１ダクト（案内部、連通部、一面乃至周面を囲む部材、第１開口部２７に向かって延びた部材）３１と、スピーカ１７の第１面１７Ａとは反対側の第２面１７Ｂからの音を密閉空間２１に向けて案内する第２ダクト（案内部、連通部、一面乃至周面を囲む部材、密閉空間２１に向かって延びた部材）３２と、を含んでいる。各スピーカ１７の構成、各スピーカボックス１６の構成、およびスピーカボックス１６の周辺の構造は第２の実施形態と同様であるため、それらの詳細については第２の実施形態で説明する。
【００１５】
続いて、本実施形態のスピーカボックス１６の作用について説明する。本実施形態では、スピーカ１７の第１面１７Ａから出る音は、第１ダクト３１で案内されて第１開口部２７から筐体１４の外部に伝達される。その際、主として第１ダクト３１で案内されて第１開口部２７から放出される音は、比較的指向性のある高音域および中音域の音（例えば、数百Ｈｚ以上）である。スピーカ１７の第２面１７Ｂから出る音は、第２ダクト３２で案内されて筐体１４の密閉空間２１内に放出され密閉空間２１内で共鳴する。そして、左右のスピーカボックス１６（第２ダクト３２）から出た音は、密閉空間２１内で合成されて増強される。この密閉空間２１に案内される音は、主として、低音域の音（例えば、数百Ｈｚ以下）である。密閉空間内で増強された音の大部分は、第１ケース２２に設けられる第２開口部２５を通って筐体１４の外部に伝達される（筐体１４に設けられる他の貫通孔からも外部に伝達される）。
【００１６】
なお、本実施形態では、低音域の音を第２開口部２５を介して筐体１４外部に伝達するようにしているが、密閉空間２１を完全（略完全）な密閉状態とし、筐体１４自体を振動させることで音を外部に伝えるようにしてもよい。
【００１７】
第１の実施形態によれば、テレビ１１は、一対の角部１８Ａと、密閉空間２１と、を有した筐体１４と、各角部１８の近傍で密閉空間２１に収められた一対のスピーカボックス１６と、一対のスピーカボックス１６内で筐体１４の厚み方向Ｔと交差する方向に収められた一対のスピーカ１７と、を備え、筐体１４は、各スピーカボックス１６の近傍に設けられた一対の第１開口部２７と、一対の第１開口部２７同士の間に位置するとともに密閉空間２１と連続した第２開口部２５と、を含み、各スピーカボックス１６は、各スピーカ１７の第１面１７Ａからの音を各第１開口部２７に案内する第１ダクト３１と、各スピーカ１７の第１面１７Ａとは反対側の第２面１７Ｂからの音を密閉空間２１に向けて案内する第２ダクト３２と、を備える。
【００１８】
この構成によれば、筐体１４の厚み方向Ｔと交差する方向にスピーカ１７が設けられるため、口径の大きいスピーカ１７を筐体１４内に設置することができる。良い音を出すためには、円形で且つ程よい大きさのスピーカ１７が望ましいから、上記構成によれば、筐体１４の厚み寸法を増大させることなく高音質を実現できる。
【００１９】
また上記構成によれば、スピーカ１７の第１面１７Ａからの音を第１ダクト３１を経由して筐体１４の外部にそのまま放出することができる。また、スピーカ１７の第２面１７Ｂからの音を第２ダクト３２を経由して密閉空間２１内に案内して、密閉空間２１において主として低音域の音を共鳴させることができる。各スピーカボックス１６の第２ダクト３２から放出された低音域の音は、密閉空間２１において合成されて増強され、第２開口部２５を介して筐体１４の外部に伝達される。このように本実施形態では、異なる２つの経路によって音が放出されるため、重厚な音を生成して高音質を実現することができる。
【００２０】
その他、各部の詳細は、第２の実施形態と同様であるため、次の第２の実施形態において説明する。
【００２１】
続いて、図３から図１３を参照して、電子機器の第２の実施形態について説明する。第２の実施形態の電子機器の一例であるポータブルコンピュータ４１は、外観が第１の実施形態のテレビ１１とは異なっているが、本体部１２周りの構造が第１の実施形態と概ね共通している。また、以下の実施形態では、手前側（即ちユーザ側）を前方向Ｆ、ユーザから見て奥側を後方向Ｂ、ユーザから見て左側を左方向Ｌ、ユーザから見て右側を右方向Ｒ、ユーザから見て上方を上方向Ｕ、ユーザから見て下方を下方向Ｄと定義する。
【００２２】
図３に示すように、ポータブルコンピュータ４１は、いわゆるノートブック型のパーソナルコンピュータである。ポータブルコンピュータ４１は、本体部（第１部分、ディスプレイ部を支持する支持部）１２と、本体部１２に対して覆い被さったり（ディスプレイが閉じた・覆われた状態）、本体部１２に対して起立したり（ディスプレイが本体部１２に対して交差する方向に沿った・露出された状態）可能なディスプレイ部（表示部、第２部分）４２と、本体部１２とディスプレイ部４２との間に設けられたヒンジ部（連結部、接続部、回動部）４３と、を有している。ディスプレイ部４２は、表示パネル１５（表示装置、表示モジュール、表示ユニット、部品）と、表示パネル１５の周囲を覆ったディスプレイキャビネット４４（筐体、覆部、壁、面）と、を備えている。
【００２３】
表示パネル１５は、本実施形態では、例えば、方形板状（略方形、矩形）の液晶パネルで構成されているが、例えばプラズマディスプレイパネル、有機ＥＬパネル等の他の種類のディスプレイパネルで構成されていてもよい。
【００２４】
本体部１２は、金属、例えばマグネシウム合金で形成された筐体（筐体構成部材、組立部品、囲み部）１４と、筐体１４に取り付けられたキーボード（入力部、入力受付部、受部、操作部、操作領域、インターフェイス部、入力モジュール、ユニット、部品）４５およびタッチパッド（入力部、入力受付部、受部、操作部、操作領域、インターフェイス部、入力モジュール、ユニット、部品、面、タッチセンサが機能する領域）４６と、タッチパッド４６の近傍で筐体１４に設けられたタッチパッドボタン４７（入力部、入力受付部、受部、操作部、操作領域、インターフェイス部、入力モジュール、ユニット、部品、ボタン）と、を備えている。図４に示すように、本体部１２は、プリント回路板（基板、電子部品、部品、モジュール）５１と、バッテリユニット（電池、電源供給部、ユニット、充電部、部品、モジュール）５２と、プリント回路板５１上の部品を冷却するためのファンユニット（冷却装置、ファン、放熱部）５３と、一対のスピーカボックス（ボックス、支持部、ハウジング）１６と、各スピーカボックス１６に１個ずつ収納される計２個のスピーカ１７（一対のスピーカ、出力装置）と、を筐体１４の内部に備えている。プリント回路板５１は、ポータブルコンピュータ４１の全体を統括的に制御している。バッテリユニット５２は、筐体１４の内部で、前方向Ｆに寄った位置（タッチパッド・タッチパッドボタン・パームレスト側に寄った位置、ディスプレイ・ヒンジとは反対側に寄った位置、ファンユニットから離れた位置、筐体の通気口・コネクタ開口部から離れた位置）に設けられている。ファンユニット５３は、筐体１４の内部で、後方向Ｂに寄った位置（タッチパッド・タッチパッドボタン・パームレスト側とは反対側に寄った位置、ディスプレイ・ヒンジに寄った位置、バッテリユニットから離れた位置、筐体の通気口・コネクタ開口部が連通した空間内）に設けられている。
【００２５】
図７に示すように、筐体１４は、複数の角部（隅部、コーナ部、端部、縁部、周縁部）１８と、ユーザによって目視される位置（上側）に設けられる第１ケース（マスク、第１筐体、第１部材）２２と、第１ケース２２とは反対側（下側）に設けられて第１ケース２２に突き合わされる（組み合わされる）第２ケース（カバー、第２筐体、第２部材、ボトム）２３と、を有している。複数の角部１８には、一対のスピーカボックス１６が設けられる前方向Ｆ寄りの一対の角部１８Ａが含まれている。
【００２６】
筐体１４は、その内部で前方向Ｆ寄りの位置に密閉空間２１を有している。密閉空間２１は、パームレスト部（キーボードに対してヒンジ・ディスプレイとは反対側の壁・面・領域）５４の内側の位置（筐体１４の前端部、ヒンジが設けられた端部とは反対側の端部、縁部）に設けられている。この密閉空間２１の周囲は、例えば、筐体１４の第１ケース２２、第２ケース２３、およびバッテリユニット５２によって規定されている（囲まれている）。バッテリユニット５２は、密閉空間２１の周囲を規定する部材の一例であるが、筐体１４内で第１ケース２２と第２ケース２３とに亘る形状を有する部分、壁、面、領域を有する部品や構造物であればよく、例えば筐体１４内部から突出された立壁や、複数部品を密に並べて構成した壁等でもよい。一対のスピーカボックス１６は、この密閉空間２１内に収められている。
【００２７】
各スピーカ１７は、スピーカボックス１６内で筐体１４の厚み方向Ｔと交差する方向に収められている。スピーカ１７は、口径が例えば１６ｍｍから２０ｍｍ程度の大きさを有し、円形をなしている。
【００２８】
第１ケース２２には、ほぼ中央部（周縁部に囲まれた位置）にキーボード４５が取り付けられており、キーボード４５よりも前方向Ｆ寄りの位置にパームレスト部５４、タッチパッド４６、およびタッチパッドボタン４７が設けられている。第１ケース２２は、密閉空間２１と連続した第２開口部２５を有しており、第２開口部２５の内側にタッチパッドボタン４７が配置されている。図８に示すように、第２開口部２５は、後述する一対の第１開口部２７同士の間に位置している。
【００２９】
第１ケース２２は、スピーカボックス１６に面した部分（面、内面、壁、領域）５５（スピーカボックス１６と対向した部分）と、内側（密閉空間２１）に向けて突出した補強用の複数のリブ（突出部、補強部、格子部、支持部、サポート）２６と、を有している。複数のリブ２６は、ハニカム形状（６角形）をなしており、主としてパームレスト部５４に対応する位置に設けられている。尚ここでは、リブ２６をハニカム形状に設計しているが、ある程度の筐体１４の剛性・撓み剛性・変形抑制機能を確保できる構成であれば例えば格子状や、他の形状にリブを配列させて設けても良い。
【００３０】
図１１に示すように、複数のリブ２６は、部分５５から外れた位置に設けられており、スピーカボックス１６に面した部分５５には設けられていない。即ち、リブ２６は、部分５５を避けて突出されている。また、第１ケース２２には、スピーカボックス１６を位置決めするための一対の位置決めピン（突出部、位置決め部、止め部、支持部）５６が設けられている。
【００３１】
第２ケース２３は、一対の角部１８Ａの近傍で、且つ、一対のスピーカボックス１６の近傍に、第１開口部２７を一対に有している。第１開口部２７は、ユーザから見えにくい第２ケース２３に設けられているが、いわゆるユーザ側である前方向Ｆに設けられている。第１開口部２７は、第２ケース２３の前方向Ｆ寄りの湾曲した部分（曲がった、デザインカーブが設けられた）に設けられている（図７参照）。第１開口部２７は、筐体１４の厚み方向Ｔと交差する方向に延びている。さらに、第２ケース２３は、ファンユニット用の吸気口５７と排気口５８とを筐体１４の後方向Ｂ寄りの位置に有している（図５参照）。
【００３２】
図１２に示すように、バッテリユニット５２は、その長手方向が筐体の長手方向に沿っている（一対のスピーカの並び方向に沿っている）。また、バッテリユニット５２は、密閉空間２１を密閉するのに十分な高さ（筐体１４の厚み方向で対向する内面に亘る高さ、筐体１４の内側の厚さと同じ・略同じ厚さ、筐体内の通気性を遮る・ほぼ遮ることのできる高さ）を有しており、スピーカボックス１６が設けられる第１領域５９（スピーカ領域、音を反響させる空間、筐体前方の部分、筐体外部との通気性を低く保った空間）と、プリント回路板５１およびそれに実装された部品（電子部品、発熱体）、ファンユニット（ファン、ファンケース、モータ、ファンブレード）５３、およびファンユニット５３からの風が当てられる冷却用のフィン（放熱部、放熱部材）６６、が配置される第２領域６０（冷却領域、電子部品を集めた空間、筐体外部からの通気性を高くできる空間）と、を仕切っている。これによって、バッテリユニット５２が遮音効果を発揮して、密閉空間２１（第１領域５９）における後述の低音域の音にファンユニット５３等からの雑音（筐体内を風が流れる音や、ファンブレードの風きり音、モータの振動・作動音、電子部品の作動音）が混ざることがない。
【００３３】
図４と図１３に示すように、吸気口５７、排気口５８、およびコネクタ用の開口６５は、筐体１４の後方Ｂ寄りの第２領域６０に集中している（寄せて位置させてある）。そして、第１領域５９と第２領域６０は、バッテリユニット５２によって仕切られているため、たとえ第１領域５９に通気孔を設けたとしても第２領域６０の空気が第１領域５９内に流れることはない（抑制できる）。
【００３４】
図１１、図１２に示すように、第１ケース２２は、キーボード４５を支持するキーボードサポート（支持部、支部、板部、サポート面、壁）６４を有している。キーボードサポート６４は、複数の６角形（ハニカム形）の穴６４Ａを有している。図１２に示すように、プリント回路板５１の一方の面がキーボードサポート６４に（図示しないインシュレータを間に挟んで）密着（略密着、当接）するため、ファンユニット５３等からの音が穴６４Ａから筐体１４の外部に漏れ出すことが防止されている。
【００３５】
このような構成を実現するため、本実施例では、プリント回路板５１の一方の面に配置する部品（表面実装側部品などの表面から突出する形状の部品）を穴６４Ａに囲まれた梁状になった部分に対向する面を避けて、穴６４Ａの内縁形状に合わせて配置している。
【００３６】
図１２に示すように、プリント回路板５１の前記一方の面とは反対側の他方の面には、高さ寸法の大きい複数の部品６７が集中的に設けられている。このため、本実施形態では、プリント回路板５１の一方の面がキーボードサポート６４に密着するように配置可能であり、筐体１４内のスペースの使用効率を著しく向上できる。
【００３７】
図４等に示すように、プリント回路板（基板）５１の長手方向は、筐体１４の長手方向（左右方向）に沿っている。このため、バッテリユニット５２で区画された第２領域６０では、筐体１４の長手方向に沿って風が流れる。このため、プリント回路板（基板）５１の形状は風の流れ方向に沿っているということができる。特に発熱量の大きくなる大型部品（実装高のある部品）は、風が表面を伝って流れる他方の面に集中されているので、これらの部品を一括で放熱できる。
【００３８】
図６、図１３等に示すように、ファンユニット５３の一部（モータ）およびこれに対応する筐体１４（第２ケース２３）の底壁は、他の部分の底壁よりも下方に突出している。また、この底壁よりも下方に突出している部分には、複数の通気孔（開口部）がもうけられる。このため、ファンユニット５３からの騒音および振動が筐体１４の内部に伝達されにくくなっている。
【００３９】
また、筐体１４を支持するゴム脚は、背の高いコネクタ（RGBコネクタ及びLANコネクタ）の直下に位置している。この構成により、筐体１４を前方に傾斜させることが出来る。筐体１４が前方に傾斜した姿勢であれば、第２領域６０内の音をユーザ側により伝搬させ難く出来る（第２領域６０との間に位置する遮音物であるキーボードやプリント回路板をユーザに対して向けることができる）。
【００４０】
図１３に示すように、排気口５８は、筐体１４の後方Ｂの側壁に設けられており、ファンユニット５３からの風を後方Ｂに向けて筐体１４の外部に放出する。このため、排気口５８の位置は、図３、図５に示される第１開口部２７および第２開口部２５とは逆の方向に設けられているといえる。したがって、排気口５８から出る排気音は、スピーカ１７からの音とは逆方向に出ることなり、スピーカボックス１６によって発揮される音響効果にこれが悪影響を及ぼすことがない。
【００４１】
各スピーカボックス１６は、筐体１４の前方Ｆに設けられている。各スピーカボックス１６は、例えば合成樹脂によって内部にスピーカ１７を１個収納するように形成されている。各スピーカボックス１６は、筐体１４の第１ケース２２に対して位置決めピン５６を介して位置合わせされ、例えばねじ（固定具、留め部、止め部材、固定部）等で固定されている。図７に示すように、スピーカボックス１６は、スピーカ１７を支持する支持部３０と、スピーカ１７の第１面１７Ａ（前面）からの音を第１開口部２７に向けて案内する第１ダクト（案内部、連通部、一面乃至周面を囲む部材、第１開口部２７に向かって延びた部材、部材、壁、囲い部）３１と、スピーカ１７の第２面１７Ｂ（後面）からの音を密閉空間２１およびこれに連続する第２開口部２５に向けて案内する第２ダクト（案内部、連通部、一面乃至周面を囲む部材、第２開口部２５に向かって延びた部材、部材、壁、囲い部）３２と、を有している。
【００４２】
第１ダクト３１の一つの壁（一部）は、筐体１４の第１ケース２２のスピーカボックス１６に面した部分５５で構成されている。このため、より正確には、スピーカボックス１６は、第１ダクト３１の他の壁（他の部分）を構成する溝部（開口部、凹部、突部、立壁部、壁部）６１を有している。溝部６１は、その周縁を規定する弾性部材（剛性の低い部材、柔軟性部材、変形・変位可能な部材）６２と、第２ダクト３２の一部を構成した（兼ねた）壁部（面部）６３と、を有している。弾性部材６２は、該壁部６３に接着されている。弾性部材６２は、例えばスポンジで構成されているが、ゴム等の他の種類の弾性体でもよい。スピーカボックス１６は、弾性部材６２を介して第１ケース２２の部分５５に突き合わされている。第２ダクト３２は、管状に形成されている。
【００４３】
続いて、図７−図９を参照して、本実施形態のスピーカボックス１６の作用について説明する。本実施形態では、スピーカ１７は、筐体１４の内面（リブ２６に囲まれた領域）に向かって放音する。即ち、放音面が第１ケース２２の内面に面している。スピーカ１７の第１面１７Ａから出る音は、第１ダクト３１で案内されて第１開口部２７から筐体１４の外部に放出される。その際、主として第１ダクト３１で案内されて第１開口部２７から放出される音は、比較的指向性のある高音域および中音域の音（例えば数百Ｈｚ以上）である。スピーカ１７の第２面１７Ｂから出る音は、第２ダクト３２で案内されて筐体１４の密閉空間２１内に放出され密閉空間２１内で共鳴する。そして、左右のスピーカボックス１６（第２ダクト３２）から出た音は、密閉空間２１内で合成されて増強される。この密閉空間２１に案内される音は、主として、指向性のあまりない低音域の音（例えば数百Ｈｚ以下）である。密閉空間２１内で増強された音の大部分は、第１ケース２２に設けられる第２開口部２５を通って筐体１４の外部に伝達される（筐体１４に設けられる他の貫通孔からも外部に伝達される）。
【００４４】
なお、本実施形態では、低音域の音を第２開口部２５を介して筐体１４外部に伝達するようにしているが、密閉空間２１を完全な密閉状態とし、筐体１４自体を振動させることで音を外部に伝えるようにしてもよい。
【００４５】
第２の実施形態によれば、ポータブルコンピュータ４１は、一対の角部１８Ａを有した筐体１４と、各角部１８の近傍で筐体１４内に収められた一対のスピーカボックス１６と、一対のスピーカボックス１６内で筐体１４の厚み方向Ｔと交差する方向に収められた一対のスピーカ１７と、を備え、筐体１４は、各スピーカボックス１６の近傍に設けられた一対の第１開口部２７と、一対の第１開口部２７同士の間に位置した第２開口部２５と、を含み、各スピーカボックス１６は、各スピーカ１７からの音を各第１開口部２７に案内する第１ダクト３１と、各スピーカ１７からの音を第２開口部２５に向けて案内する第２ダクト３２と、を有する。
【００４６】
この構成によれば、筐体１４の厚み方向Ｔと交差する方向にスピーカ１７が設けられるため、口径の大きいスピーカ１７を筐体１４内に設置することができる。良い音を出すためには、円形で且つ程よい大きさのスピーカが必要であるから、上記構成によれば、筐体１４の厚み寸法を増大させることなく高音質を実現できる。
【００４７】
また、上記構成によれば、スピーカ１７からの音を第１ダクト３１を経由して筐体１４の外部にそのまま伝達することができる。また、スピーカ１７からの音を第２ダクト３２を経由して密閉空間２１内に案内して、密閉空間２１において主として低音域の音を共鳴させることができる。各スピーカボックス１６の第２ダクト３２から放出された低音域の音は、密閉空間２１において合成されて増強され、第２開口部２５を介して筐体１４の外部に伝達される。このように本実施形態では、異なる２つの経路によって音が筐体１４外に伝達されるため、重厚な音を生成して高音質を実現できる。
【００４８】
また、筐体１４は、スピーカボックス１６に面した部分５５を有し、該部分５５は第１ダクト３１の１つの壁をなしており、スピーカボックス１６は、第１ダクト３１の他の壁をなす溝部６１を有する。この構成によれば、筐体１４によって第１ダクト３１の壁部の１つを兼ねさせることができるため、スピーカボックス１６内に第１ダクト３１および第２ダクト３２の両方を設ける場合に比して、スピーカボックス１６の厚み寸法を低減することができる。これによって、筐体１４のさらなる薄型化を図ることができる。
【００４９】
さらに、溝部６１は、その周縁を規定するとともに前記部分５５に当接した弾性部材６２を有する。この構成によれば、音を発生する際に生ずるスピーカボックス１６の振動を弾性部材６２において吸収することができる。これによって、スピーカボックス１６で発生した振動がそのまま筐体１４に伝達されることがなく、筐体１４にびびりを生ずることを防止してポータブルコンピュータ４１の質感が低下することを防止できる（すなわち、ポータブルコンピュータ４１に高級感を持たせることができる。）。
【００５０】
ポータブルコンピュータ４１は、筐体１４内に設けられ密閉空間２１の周囲を規定する部材を有する。この構成によれば、密閉空間２１から音が漏れてしまうことを防止して、密閉空間２１内で低音域の音を増強して（共鳴させて）、高音質を実現することができる。
【００５１】
また、筐体１４は、ユーザによって目視される第１ケース２２と、第１ケース２２とは反対側にある第２ケース２３と、を含み、第１開口部２７は、第２ケース２３に設けられる。この構成によれば、第１開口部２７をユーザから見え難くすることができ、ポータブルコンピュータ４１の質感を向上させることができる。
【００５２】
第１開口部２７は、筐体１４の厚み方向と交差する方向に延びる。近年では、ポータブルコンピュータ４１の筐体１４の薄型化が著しいので、この構成によっても同様に第１開口部２７をユーザから見え難くすることができる。これによって、ポータブルコンピュータ４１の質感を向上できる。
【００５３】
さらに、筐体１４は、密閉空間２１に向けて突出したリブ２６を部分から外れた位置に有している。この構成によれば、第１ダクト３１内の音の伝達をリブ２６が妨げることを防止して、予定通りの音響効果を実現することができる。また、リブ２６とスピーカボックス１６とが干渉することを防止して筐体１４の薄型化に寄与することができる。
【００５４】
そして、密閉空間２１は、筐体１４に設けられたパームレスト部５４の内側に設けられる。この構成によれば、パームレスト部５４の内側の密閉されたスペースを音を共鳴させる箇所として有効に活用することができる。これによって、特段のスペース増加を生ずることなく高音質を実現することができる。さらに、第１開口部２７は、第２ケース２３のユーザ側に設けられるために、第１開口部２７から伝達される音がユーザに効率よく伝達され、これによっても高音質を実現することができる。また、ユーザの手によって第１開口部２７が塞がれてしまうこともない。
【００５５】
続いて、図１４、図１５を参照して、電子機器の第３の実施形態について説明する。第３の実施形態の電子機器の一例であるタブレット型ポータブルコンピュータ７１は、外観構造が第２の実施形態のものと異なっているが、他の部分は第２の実施形態と共通している。このため、主として異なる部分について説明し、共通する部分については共通の符号を付して説明を省略する。また、以下の実施形態では、手前側（即ちユーザ側）を前方向Ｆ、ユーザから見て奥側を後方向Ｂ、ユーザから見て左側を左方向、ユーザから見て右側を右方向、ユーザから見て上方を上方向、ユーザから見て下方を下方向と定義する。
【００５６】
タブレット型ポータブルコンピュータ７１は、金属、例えばマグネシウム合金で形成された筐体１４と、その一部が外部に露出するように筐体１４の内部に設けられたタッチパネル型の表示パネル１５と、を備えている。図１４に示すように、タブレット型ポータブルコンピュータ７１は、プリント回路板５１と、バッテリユニット５２と、ファンユニット５３と、一対のスピーカボックス１６と、一対のスピーカ１７と、を筐体１４の内部に備えている。プリント回路板５１は、ポータブルコンピュータ４１の全体を統括的に制御している。ユーザは、タッチパネル型の表示パネル１５に指等を接触させることで、タブレット型ポータブルコンピュータ７１に対して所望の操作を行うことができる。
【００５７】
図１５に示すように、筐体１４は、複数の角部１８と、ユーザによって目視される位置（上側）に設けられる第１ケース２２と、第１ケース２２とは反対側（下側）に設けられて第１ケース２２に突き合わされる第２ケース２３と、を有している。複数の角部１８には、一対のスピーカボックス１６が設けられる下方向Ｄ寄りの一対の角部１８Ａが含まれている。筐体１４は、その内部で下方向Ｄ寄りの位置に密閉空間２１を有している。この密閉空間２１の周囲は、例えば、筐体１４の第１ケース２２、第２ケース２３、およびバッテリユニット５２によって規定されている。バッテリユニット５２は、密閉空間２１の周囲の周囲を規定する部材の一例である。一対のスピーカボックス１６は、この密閉空間２１内に収められている。
【００５８】
第１ケース２２は、スピーカボックス１６に面した部分５５と、例えば複数の微小な貫通孔を集約的に１つの領域に設けることで形成した第２開口部２５と、内側（密閉空間２１）に向けて突出した補強用の複数のリブ２６と、を有している。第２開口部２５は、後述する一対の第１開口部２７同士の間に位置しており、密閉空間２１と連続している。複数のリブ２６は、第１ケース２２の内面に設けられ、ハニカム形状（６角形）をなしている。また、複数のリブ２６が、部分５５から外れた位置に設けられており、スピーカボックス１６に面した部分５５には設けられないことは第２の実施形態と同様である。
【００５９】
第２ケース２３は、一対の角部１８Ａの近傍で、且つ、一対のスピーカボックス１６の近傍に、第１開口部２７を一対に有している。第１開口部２７は、ユーザから見えにくい第２ケース２３に設けられているが、手に持って使用される際にユーザ側となる下方向Ｄに設けられている。第１開口部２７は、筐体１４の厚み方向Ｔと交差する方向に延びている。さらに、第２ケース２３は、ファンユニット５３用の吸気・排気口７２とを筐体１４の上方向Ｕ寄りの位置に有している（図１５参照）。
【００６０】
各スピーカボックス１６は、例えば合成樹脂によって内部にスピーカ１７を１個収納するように形成されている。スピーカボックス１６は、スピーカ１７を支持する支持部３０と、スピーカ１７の第１面１７Ａ（前面）からの音を第１開口部２７に向けて案内する第１ダクト３１と、スピーカ１７の第２面１７Ｂ（後面）からの音を密閉空間２１およびこれに連続する第２開口部２５に向けて案内する第２ダクト３２と、を有している。
【００６１】
第１ダクト３１の一部は、筐体１４の第１ケース２２のスピーカボックス１６に面した部分５５で構成されている。このため、より正確には、スピーカボックス１６は、第１ダクト３１の他の部分を構成する溝部６１を有している。溝部６１は、その周縁を規定する弾性部材６２と、第２ダクト３２の一部を構成した（兼ねた）壁部６３と、を有している。弾性部材６２は、該壁部６３に接着されている。弾性部材６２は、例えばスポンジで構成されているが、ゴム等の他の弾性体でもよい。第２ダクト３２は、管状に形成されている。
【００６２】
本実施形態のスピーカボックス１６の作用は第２の実施形態と同様である。なお、本実施形態では、低音域の音を第２開口部２５を介して筐体１４外部に伝達するようにしているが、密閉空間２１を完全な密閉状態とし、筐体１４自体を振動させることで音を外部に伝えるようにしてもよい。
【００６３】
第３の実施形態によれば、ポータブルコンピュータ４１は、一対の角部１８Ａを有した筐体１４と、各角部１８の近傍で筐体１４内に収められた一対のスピーカボックス１６と、一対のスピーカボックス１６内で筐体１４の厚み方向Ｔと交差する方向に収められた一対のスピーカ１７と、を備え、筐体１４は、各スピーカボックス１６の近傍に設けられた一対の第１開口部２７と、一対の第１開口部２７同士の間に位置した第２開口部２５と、を含み、各スピーカボックス１６は、各スピーカ１７からの音を各第１開口部２７に案内する第１ダクト３１と、各スピーカ１７からの音を第２開口部２５に向けて案内する第２ダクト３２と、を有する。
【００６４】
この構成によれば、筐体１４の厚み方向Ｔと交差する方向にスピーカ１７が設けられるため、口径の大きいスピーカ１７を筐体１４内に設置することができる。また、スピーカ１７からの音を第１ダクト３１を経由して筐体１４の外部にそのまま伝達することができるとともに、スピーカ１７からの音を第２ダクト３２を経由して密閉空間２１内に案内して、密閉空間２１において主として低音域の音を共鳴させることができる。このように、異なる２つの経路によって音が筐体１４外に伝達されるため、重厚な音を生成して高音質を実現できる。
【００６５】
電子機器は、上記実施形態に示したテレビ１１、ポータブルコンピュータ４１、７１に限定されるものではなく、携帯電話機、書籍や画像等を電子的に表示する電子ブックリーダーのようなその他の電子機器に対しても当然に実施可能である。
【００６６】
さらに、電子機器は上記実施形態そのままに限定されるものではなく、実施段階ではその要旨を逸脱しない範囲で構成要素を変形して具体化できる。さらに、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【００６７】
以下に本願出願の原出願である特願２０１１−１９０５６８の出願当初の特許請求の範囲に記載された発明を付記する。
【００６８】
［１１］
第１開口部と第２開口部とが設けられた筐体と、
前記筐体内面に向かって放音するスピーカと、
前記スピーカからの音を前記第１開口部に通す第１部材と、
前記スピーカからの音を前記第２開口部に向けて通す第２部材と、
を有する電子機器。
【符号の説明】
【００６９】
１１…テレビ、１４…筐体、１６…スピーカボックス、１７…スピーカ、１７Ａ…第１面、１７Ｂ…第２面、１８Ａ…一対の角部、２１…密閉空間、２２…第１ケース、２３…第２ケース、２５…第２開口部、２６…リブ、２７…第１開口部、３１…第１ダクト、３２…第２ダクト、４１…ポータブルコンピュータ、４２…ディスプレイ部、４３…ヒンジ部、５２…バッテリユニット、５５…部分、６１…溝部、６２…弾性部材、７１…タブレット型ポータブルコンピュータ
【図１】
0005468674.tif 000002
【図２】
0005468674.tif 000003
【図３】
0005468674.tif 000004
【図４】
0005468674.tif 000005
【図５】
0005468674.tif 000006
【図６】
0005468674.tif 000007
【図７】
0005468674.tif 000008
【図８】
0005468674.tif 000009
【図９】
0005468674.tif 000010
【図１０】
0005468674.tif 000011
【図１１】
0005468674.tif 000012
【図１２】
0005468674.tif 000013
【図１３】
0005468674.tif 000014
【図１４】
0005468674.tif 000015
【図１５】
0005468674.tif 000016